(57)【要約】      （修正有）【課題】外部動力を極力少なくして、かつ単位時間当たりの流量を所定流量にて液体を輸送する。【解決手段】容器１０２とピストン１０９から構成される液体供給装置１０１において、液面１１０を有する液体１１１は液体を供給するリザーバー１０３から流路１０５、そしてさらに断面積が小さくなる隘路１０６を通って出口１０７にて外部に流れ出すのに対して、流路１０３より副流路１０８が分岐し、隘路１０６においてピストン１０９を介して接する構造をなしており、水頭圧を用いて液体を輸送するのに加えて、流路の一部に隘路を設け、同隘路に流量調整機構を設けることにより通過する液体の流量を所定流量とするものである。【選択図】図２
2014089702.tif 000002
【特許請求の範囲】
【請求項１】
水頭圧を駆動力として流路中の液体を輸送する方法であって、流路の一部に流量調整機構を有する隘路を設けることによって、出口から吐出される液体の単位時間当たりの流量を調整することを特徴とする液体の輸送方法。
【請求項２】
水頭圧を維持するために、前記流路の途中および／または手前に液体を供給するための供給手段あるいはリザーバータンクが設けられていることを特徴とする請求項１に記載の液体の輸送方法。
【請求項３】
前記隘路を構成する壁面の全部または一部が、移動または変形することによって、液体の単位時間当たりの流量を調整することを特徴とする請求項１または請求項２に記載の液体の輸送方法。
【請求項４】
前記流路と前記流路から分岐する少なくとも１つからなる副流路とが設けられており、前記副流路は袋小路となっていて、かつ前記袋小路の行き止まり部分は前記隘路を構成する壁面を介して前記隘路と接しており、前記副流路を満たす液体の水圧と、前記流路中を流れる液体が前記壁面に及ぼす圧力との圧力差によって、前記壁面の全部または一部を移動または変形させることにより、出口から吐出される液体の単位時間当たりの流量を調整することを特徴とする請求項３に記載の液体の輸送方法。
【請求項５】
前記流路と前記流路から分岐する少なくとも１つからなる副流路とが設けられており、前記副流路は袋小路となっていて、かつ前記袋小路の行き止まり部分は前記隘路を構成する壁面を介して接しており、前記副流路の経路中に前記副流路の水圧を測定する圧力センサーを備えるとともに、前記壁面の全部または一部に圧電体を備え、前記圧力センサーによる測定値に基づいて前記圧電体を変形または振動させることによって、出口から吐出される液体の単位時間当たりの流量を調整することを特徴とする請求項３に記載の液体の輸送方法。
【請求項６】
前記壁面の全部または一部が、栓、ピン、ピストン、浮子のうちのいずれかにより構成されることを特徴とする請求項４に記載の液体の輸送方法。
【請求項７】
前記壁面の全部または一部が、弾性体から構成されることを特徴とする請求項４に記載の液体の輸送方法。
【請求項８】
前記壁面の全部または一部が、伸縮体から構成されることを特徴とする請求項４に記載の液体の輸送方法。
【請求項９】
前記壁面の全部または一部が、超弾性金属、形状記憶合金、形状記憶プラスチックの少なくともいずれかにより構成されることを特徴とする請求項４に記載の液体の輸送方法。
【請求項１０】
前記流路の全部または一部に、水流抵抗調整手段を設けることを特徴とする請求項４または請求項５に記載の液体の輸送方法。
【請求項１１】
前記水流抵抗調整手段が、前記流路をジグザグ状に長くしたものであることを特徴とする請求項１０に記載の液体の輸送方法。
【請求項１２】
前記水流抵抗調整手段が、前記流路の断面積を前記副流路の断面積よりも小さくしたものであることを特徴とする請求項１０に記載の液体の輸送方法。
【請求項１３】
前記水流抵抗調整手段が、前記流路の壁面に凹凸をつけて表面積を大きくしたものであることを特徴とする請求項１０に記載の液体の輸送方法。
【請求項１４】
前記水流抵抗調整手段が、前記流路中に障害物を設けたものであることを特徴とする請求項１０に記載の液体の輸送方法。
【請求項１５】
請求項１から請求項１４のいずれか一項に記載の液体の輸送方法を用いることを特徴とする細胞の培養方法。
【発明の詳細な説明】
【技術分野】
【０００１】
本発明は、流路を用いて液体を輸送する際、流路途中に圧力差を用いた流量調整機構を設けることにより、所定の流量で液体を連続的に輸送する技術に関するものである。
特に、細胞（例えば、ＩＰＳ細胞、ＥＳ細胞、体外受精胚や体細胞クローン胚などの胚）を培養する際に、電力を必要とする設備を用いることなく、所定の流量で培養液を連続的に輸送する技術に関するものである。
【背景技術】
【０００２】
従来、液体を所定流量で輸送する手段としては、動力を使用する方法と動力を用いない方法とがあるが、前者を用いる場合が多い。
【０００３】
前者においてはシリンジポンプを用いる方法あるいはチューブポンプを用いる方法等がある。
【０００４】
シリンジポンプを用いる場合は、例えば図９に示すようにシリンジポンプ６３を構成するシリンジ筒部６１に液体を入れ、シリンジ押子６２を機械的に前後させることにより液体を正確に送り出すものである
【０００５】
一方、後者においては例えば図１０に示すように装置７１はタンク７２と液位差保持機構７３より構成されている。液体７６を収容するタンク７２に液体７６を取り出すための液位差保持機構７３が収納されており、液体の液面と液位差保持機構７３に設けられた液体取出管７４の高さ位置との液面差を一定に保った状態で液体を取り出すことによる液体の定量供給装置がある。
【先行技術文献】
【特許文献】
【０００６】
【特許文献１】特開２００７−３０６９９１号
【特許文献２】特開２００２−３７０７９９号
【発明の概要】
【発明が解決しようとする課題】
【０００７】
しかしながら、シリンジポンプ等を用いた場合、例えば停電になった場合を想定してバックアップの外部電源を準備する必要が生じる場合があるのに加えてポンプを駆動するためのモーターに必要な消費電力は大きいという欠点がある。
【０００８】
特に医療用途では患者の生命に直接関わるため、万が一の停電でも作動を続けることが絶対条件であるのでポンプのバックアップ体制ないしはバックアップ電源の準備は必須となるのに加え、消費電力が大きいことはコスト面からも課題となる。
【０００９】
また液体を輸送する環境雰囲気がシリンジポンプ、チューブポンプを代表とする送液ポンプあるいは送液ポンプを駆動するためのモーターやボールネジ等ならびにそれらの制御機構の動作環境に適さない、たとえば高温であったり、高湿度であったりあるいは腐食雰囲気の環境の場合、環境に合致する仕様を有する送液ポンプまたはその駆動のための部品を用いなければならず、これによるコストアップも問題である。
【００１０】
あるいは、送液ポンプまたはその駆動のための部品を液体輸送の環境雰囲気の外に持ち出してこれらを配置することがあるが、設置スペースの増加、配線や配管の煩瑣化は避けられない。
【００１１】
一方、動力を用いない図７の方法は液体量を多く必要とする方式であるため、特に微量の液体供給には採用しづらいという問題がある。
【００１２】
ここで、細胞を培養する場合においても、培養液の供給手段としては上記のような電力を用いたポンプなどを用いているのが現状である。
従って、このような細胞の培養においても、電源の喪失によるリスク、コストアップ、設備の煩瑣化などの問題が存在していることになる。特に、体外受精胚や体細胞クローン胚などの中には数個しか採取できないような極めて貴重な細胞があることから、このような細胞を確実に培養するためにも電源の喪失によるリスクへの対策は重要な課題となっている。
【００１３】
本発明は上記の問題点や課題に鑑みてなされたものであり、外部動力を極力少なくして液体を所定流量で輸送する手段を提供することを目的とするものである。
特に、細胞（例えば、ＩＰＳ細胞、ＥＳ細胞、体外受精胚や体細胞クローン胚などのような胚）を培養する場合において、培養液を連続的に輸送する有用な手段を提供することを目的とするものである。
【課題を解決するための手段】
【００１４】
本発明は上記目的を達成するために水頭圧を用いて液体を輸送するのに加えて、流路の一部に隘路を設け、通過する液体の単位時間当たり流量を所定流量となるように同隘路に流量調整機構を設けることを特徴とする。
【００１５】
その一例として、水頭圧を得るために設けられたリザーバーより流路を経由して隘路に至る液体を輸送する経路において、リザーバーより流路につながる直前ないしは隘路に至るまでの流路の途中に少なくとも１か所の副流路が分岐しており、同副流路は袋小路となって隘路とは概直角方向に壁面を介して接している。副流路を満たす液体の水圧と流路中を流れる液体が隘路において副流路と隔てられる壁面に及ぼす圧力の差としての圧力差に従って隔てられた壁面の少なくとも一部が移動ないしは変形することにより、隘路を流れる液体の単位時間当たりの流量を所定流量とする輸送方法がある。
【００１６】
あるいは、副流路は袋小路となるとともに副流路中に備えた圧力センサーにより水圧を測定し一方、隘路を構成する壁面の少なくとも一部に圧電体が組み込まれており、副流路中の圧力センサーによる水圧測定値に基づいて圧電体に適切な電圧を付加することにより隘路を構成する壁面を変形ないしは振動させることにより隘路を流れる液体の単位時間当たりの流量を所定流量とする輸送方法がある。
【００１７】
あるいは、隘路を流れる液体の流量をセンサーにて測定した測定値に基づいて、隘路を構成する壁面の少なくとも一部に組み込まれた圧電体に適切な電圧を付加することにより隘路を構成する壁面を変形ないしは振動させることにより隘路を流れる液体の単位時間当たりの流量を所定流量とする輸送方法がある。
【発明の効果】
【００１８】
本発明は、水頭圧を用いて液体を輸送するのに加えて、流路の一部に流量調整機構を有する隘路が設けられており、外部より加わる圧力に応じて流量調整機構が作用することにより、通過する液体の単位時間当たり流量を所定流量となるようにするという特徴がある。
【００１９】
送液ポンプ等の駆動機構を使用することがないため、消費電力が少ないかあるいは動力源そのものが不要となる。
【００２０】
従って、たとえ電力が必要となる場合でもコンパクトなバッテリーのみを装備するだけでよく、駆動エネルギーを供給するための配線等の供給経路が不要であるとともに停電等の不測の事態によるエネルギー供給停止による液体の輸送停止の恐れがないという特長がある。
【００２１】
また、段落［００１８］〜［００２０］に記載した効果が発現することから、細胞（例えば、ＩＰＳ細胞、ＥＳ細胞、体外受精胚や体細胞クローン胚などのような胚）を培養する場合においても電源の喪失によるリスクや設備の煩瑣化の問題を解決することができる。
【図面の簡単な説明】
【００２２】
【図１】本発明を実施するための形態のひとつであり、水頭圧により液体を輸送する原理図である（図１（ａ）は水頭圧が高い状態を表し、図１（ｂ）は水頭圧が低い状態を表す）。
【図２】本発明を実施するための形態のひとつであり、圧力差を受けて隘路の一部に流路の調整機能を有するピストンを備えた流量調整機構を示す断面図である（図２（ａ）は圧力差が大きい状態を表し、図２（ｂ）は圧力差が小さい状態を表す）。
【図３】本発明を実施するための形態のひとつであり、圧力差を受けて隘路の一部に流路の調整機能を有する弾性体膜を備えた流量調整機構を示す断面図である（図３（ａ）は圧力差の大きい状態を表し、図３（ｂ）は圧力差が小さい状態を表す）。
【図４】本発明を実施するための形態のひとつであり、リザーバー部分を切り離して流量調整機構の部分のみを１個のチップとする場合の平面図である（図４（ａ）は圧力差の大きい状態を表し、図４（ｂ）は水頭圧が小さい状態を表す）。
【図５】本発明を実施するための形態のひとつであり、チップ化された流量調整機構を示す図である（図５（ａ）は平面図であり、図５（ｂ）は図５（ａ）のＡ−Ａ‘断面図である）。
【図６】図５に示した機構の別の形態を示す図である（図６（ａ）は平面図であり、図６（ｂ）は図６（ａ）のＢ−Ｂ‘断面図である）。
【図７】図５に示した機構のさらに別の形態を示す図である（図７（ａ）は平面図であり、図７（ｂ）は図７（ａ）のＣ−Ｃ‘断面図である）。
【図８】図６に示した培養装置を用いた際の液体の流量を示すグラフである。
【図９】従来技術であるシリンジポンプの外観斜視図である。
【図１０】従来技術である液体の定量供給装置を示す断面図である。
【発明を実施するための形態】
【００２３】
以下、図面に基づいて本発明の実施の実態を具体的に説明する。
【００２４】
本発明は水頭圧により液体を輸送するものであり、図１はその原理を示す図である。
【００２５】
少なくとも１か所の吐出開口部１を備えた容器３に液体２を所定量入れて吐出開口部１より液体２を取り出すものである。
【００２６】
図１（ａ）は水頭圧が高い状態であり、水頭高さＨ１において吐出開口部１での吐出圧力をＰ１、吐出される液体の単位時間当たり流量Ｖ１とする。一方、図２（ｂ）は水頭圧の低い状態であり、水頭高さをＨ２、吐出開口部１での吐出圧力をＰ２、吐出される液体の単位時間当たり流量をＶ２とすると、Ｈ１＞Ｈ２であるためＰ１＞Ｐ２となり、水頭圧の減少に伴って単位時間当たり流量は徐々に減少してＶ１＞Ｖ２となる。
【００２７】
つまり、水頭圧が下がれば単位時間当たりの流量は減少し、期待する流量を得ることはできない。
【００２８】
そこで水頭圧を用いて、なおかつ単位時間あたり所定流量の液体を供給することが可能な液体の輸送方法を考案した。
【００２９】
図２は液体を輸送する際、単位時間あたりの流量を所定流量とする流量調整機構の一例を示す。
【００３０】
すなわち、容器１０２とピストン１０９から構成される液体供給装置１０１において、液面１１０を有する液体１１１は液体を供給するリザーバー１０３から流路１０５、そしてさらに断面積が小さくなる隘路１０６を通って出口１０７にて外部に流れ出すのに対して、流路１０３より副流路１０８が分岐し、隘路１０６においてピストン１０９を介して接する構造をなしている。
【００３１】
図２（a）に示すように、ピストン１０９は副流路１０８の壁面１１２にすきまなくはめこまれており、副流路１０８からの液体１１１による水圧ＰＳと流れる液体がピストン下面において上向きに及ぼす圧力ＰＩとの差である圧力差（ＰＳ−ＰＩ）に従ってなめらかに上下する構造をなしており、ピストン１０９は下向きに押し込まれて、隘路１０６はすきまがＷとなるまで移動して液体の流量が絞られる。
【００３２】
時間の経過により液体が出口１０７を経て流れ出た結果、図２（ b）に示すように、液面１１０は低下してその結果水圧は低下してＰＳ’となり、一方液体がピストン下面において上向きに及ぼす圧力はＰＩ’まで低下することにより、ピストン１０９に加わる圧力差は（ＰＳ’−ＰＩ’）と図２（a）に比べて相対的に小さくなる。すると、ピストン１０９は上垂直方向に移動して、その結果隘路１０６におけるすきまが当初に比べて広がりＷ’となることにより隘路１０６で液体は流れ易くなる。
【００３３】
その結果、圧力ＰＩが小さくなることに起因する液体の流量減少分と隘路においてすきまＷが広がることによる液体の流量回復分とのバランスにより単位時間あたりの流量が所定流量となるように流路ならびに隘路の構造を最適化設計することができる。
【００３４】
図２の例においては、流量調整機構としてピストンを挙げたが、これ以外に栓、ピン、浮子を使用することもできる。
【００３５】
単位時間あたりの流量を所定流量とする流量調整機構のもうひとつの一例を図３に示す。
【００３６】
すなわち図３は、図２におけるピストン１０９を弾性体膜１１３に置き換えた構造をなす。
【００３７】
図３（a）及び図３（b）に示すように、弾性体膜１１３はピストン１０９と同じく圧力差の大きい状態では大きく変形して、隘路１０６におけるすきまは狭まってＷとなり、隘路１０６を通過する液体の流れを阻害する。
【００３８】
また、ピストン１０９と同様に圧力差が小さくなることにより膜１１３は変形を回復して隘路１０６におけるすきまは広がってＷ’となり、液体の流れ阻害は緩和される。
【００３９】
しかしながら、図２及び図３において示す例はリザーバー１０３を内蔵した構造をなすもので、水頭圧を得るために高さ方向に大きなスペースを必要とするという問題点がある。
【００４０】
これを解決するためにリザーバー部分を切り離して、所定流量の液体を供給する機構のみを平面的に配置したチップとし、必要なリザーバーは別の場所に取り付ける方法あるいは液体の供給口を通じて水頭圧以外の手段にて圧力を加える方法が考えられる。
【００４１】
前者の方法にもとづいた単位時間あたり所定流量の液体を供給する機構の一例を図４に示す。
【００４２】
まず、図４に記載の液体を供給する装置３３は、流路３０と、流路３０から分岐する副流路３６が設けられている構造となっている。流路３０には入口３２と出口３１の途中に隘路３４が設けられており、隘路３４は向かい合う１対の弾性体膜３５を介して１対の副流路３６と接する構造となっている。
【００４３】
図４（ａ）に示すように、液体は入口３２から隘路３４を通って出口３１より流れ出る構造となっており、副流路３６側から弾性体膜３５に加わる静水圧ＰＳと流路３０側より弾性体膜３５に加わる圧力ＰＩの差である圧力差(ＰＳ−ＰＩ)によって形成されるすきまＡの間を液体が流れ、このとき単位時間当たりの流量Ｖの液体が出口３１より流れ出る。なお、出口３１は外界に対して開いているので液体の出口３１での出口圧ＰＯはゼロである。
【００４４】
副流路３６の断面積が十分大きく、水流抵抗が無視できる場合、静水圧ＰＳはリザーバーの液面と弾性体膜３５との高度差による水頭圧に等しいのに対して流路３０を流れる液体は流路３０における水流抵抗が減じて隘路３４に達する際には圧力はＰＩとなっており、圧力差（ＰＳ−ＰＩ）により弾性体膜３５が変形してすきまＡを形成する。
【００４５】
圧力差が小さいときは、隘路３４のすきまは狭くなってＡとなり流量は絞られるのに対して、圧力差が小さくなるに従って図４（ｂ）に示すように隘路３４のすきまは広がってＡ’となり、液体は流れ易くなる。
【００４６】
すなわち液体が連続的に流れ出ることにより、圧力ＰＩが時々刻々変化して当初に比べΔＰだけ低くなった場合、圧力ＰＩ’＝ＰＩ−ΔＰとなるが出口側圧力はＰＯ’＝０で変わりはない。
【００４７】
一方液体が流れ出ることでリザーバーでの液体の液面は低下するため水頭圧は低下し、したがって水圧ＰＳも低下してＰＳ’となり圧力差は(ＰＳ’−ＰＩ’)となるが(ＰＳ’−ＰＩ’)＜(ＰＳ−ＰＩ)であるので弾性体膜３５の流路側への変形は緩和されてすきまは広がってＡ’となる。このとき隘路３４を経て出口３１より流れ出る液体の流量が当初と同じＶとなるようにあらかじめ流体解析あるいは実験の少なくとも一方を用いて流路、副流路の配置や構造などを設計することにより、所望する単位時間当たり所定流量の液体を連続的に供給する機構を形成することができる。
【００４８】
なお、液体を補給するなどの理由によりリザーバーでの液体の液面が上昇すれば水頭圧は増加するので、水圧ＰＳも増加してＰＳ”となる。このときＰＩもＰＩ”＝ ＰＩ＋ΔＰとなるので、圧力差は(ＰＳ”−ＰＩ”)となるが(ＰＳ”−ＰＩ”)＞(ＰＳ−ＰＩ)であるので弾性体膜３５の流路側への変形は大きくなってすきまはさらに狭まってＡ”となるが、流れの阻害増加とＰＩの増加による流量増とのバランスにより、単位時間当たり所定流量の液体を連続的に供給する機構を形成することができる。
【００４９】
なお、弾性体膜３５の感度及び応答性を高めるためには圧力差（ＰＳ−ＰＩ）を大きくすることが有効である。
【００５０】
ここで、このような圧力差を大きくする手段として、流路の全部または一部に水流抵抗調整手段を設けることが有効である。そしてこのような水流抵抗調整手段としては、例えば、１）リザーバーから副流路が分岐する以降かつ隘路に至るまでの流路において流路をジグザグ状に長くする、２）流路の断面積を副流路の断面積よりも小さくする、３）流路の表面積は変更せずに流路の深さを変更する、４）流路を構成する壁面に凹凸をつけて表面積を大きくする、５）流路中に障害物を設置する、６）液体の流れに対して抵抗性の高い材料にて流路を形成する、などの手段が挙げることができる。ここで、水流抵抗調整手段に１）に記載した手段を採用する場合には、後記する図６や図７のように流路の屈曲する回数などを調整することによって、所望する圧力差を得ることができる。
【００５１】
また、弾性体膜３５としては天然ゴム、合成ゴム、熱硬化性エラストマー、熱可塑性エラストマー、シリコーン樹脂の少なくともいずれかを含む材料から構成されることが望ましく、これらは装置３３を構成する材料としても用いることができ弾性体膜３５を含む装置３３を一体で作成できるという点で利便性がある。あるいは、弾性体膜３５を栓、ピン、ピストン、ねじのうちの少なくともいずれかにて置き換えることも、超弾性金属、形状記憶合金、形状記憶プラスチックの少なくともいずれかにて置き換えることもできる。
【００５２】
次に、単位時間あたり流量を所定流量として液体を供給する機構のもうひとつの一例を図５に示す。
【００５３】
図５（ａ）に示す通り、液体を供給する装置４０１を構成する部品としてのチップ４０２において、輸送すべき液体はリザーバーに直結して開口部４０３に至り副流路４０６と分岐したあと流路入口４０４より流路４０５へと流入し、両側壁面が弾性体膜４０７より構成される隘路４０８に至り、液体の出口４０９を経て外に流れ出る構造となっているが、副流路４０６は袋小路となっていて、袋小路の行き止まり部分は弾性体膜４０７を介して隘路４０８に接する構造をなしている。
【００５４】
また図５（ｂ）に示す通り、チップ４０２には、流路構造を閉空間とするためのプレート４１０を貼りつけることにより液体を供給する装置４０１が完成する。なお、必要に応じて開口部４０３にリザーバーを連結してもよいし、流れ出た液体を次工程に送る機構と連結するのもよい。
【００５５】
プレート４１０は視認性確保のためにガラス板、透明の樹脂板とするのもよい。
【００５６】
なお、図５は１種類の液体を輸送する例であるが、供給口ないしはリザーバーを複数個所設けることにより同時に複数種類の液体を供給することもできる。
【００５７】
チップ４０２は同一の材料からなる一体品とするのもよいが、例えば弾性体を材料とする場合は天然ゴム、合成ゴム、熱硬化性エラストマー、熱可塑性エラストマー、シリコーン樹脂の少なくともいずれかを含む材料とすることが望ましい。
【００５８】
もとより弾性体膜４０７を除くチップ４０２を構成する材料と弾性体膜４０７を構成する材料とを異なる材料とすることは全く差し支えないが、この場合弾性体膜４０７としては天然ゴム、合成ゴム、熱硬化性エラストマー、熱可塑性エラストマー、シリコーン樹脂の少なくともいずれかを含む弾性体材料を用いることが望ましい。
【００５９】
あるいは超弾性金属、形状記憶合金、形状記憶プラスチック、繊維をはじめとする伸縮体の少なくともいずれかを用いることができる。
【００６０】
また、栓、ピン、ピストン、浮子のうちの少なくともいずれかを使用することも差し支えない。
【００６１】
次に、図５に示した機構を細胞の培養装置として用いた場合の形態を図６および図７に示す。
図６および図７に示す培養装置５０１（５０１ａ、５０１ｂ）は、図５の機構の流路と副流路の形状を変更したのに加え、培養液を貯蔵するリザーバータンク５０２、細胞を収納するウェル５０３、廃液口５０４を追加した構造となっている。なお、図７に示す培養装置は、図６に示す培養装置における副流路５０５の形状を変更したものである。
【００６２】
具体的には、リザーバータンク５０２を、高さを持つ筒状とすることによって、大きな水頭圧を得る構造となっている。また、流路５０６については略直角に屈曲するジグザク状とし、断面積を副流路の断面積よりも小さくした構造となっている。副流路５０５については、袋小路の行き止まり部分が弾性体膜５０６（壁面）を介して隘路５０７と略直角方向に接している構造となっている。さらに、隘路５０７と廃液口５０４との間には培養したい細胞などを収納するウェル５０３が設けられている構造となっている。
【００６３】
そして、図６および図７に示す培養装置５０１（５０１ａ、５０１ｂ）についても、段落［００３０］〜［００３３］において記載した動作と同じ動作を行うことから、隘路５０７の出口から所定の流量の培養液を吐出することができ、その結果、電力を用いた外部動力を用いることなく常に新鮮な培養液を細胞に供給することができることになる。特に、体外受精胚や体細胞クローン胚などの中には数個しか採取できないような極めて貴重な細胞があることから、このような細胞に常に新鮮な培養液を供給することができ、その結果、これらの細胞を確実に培養することができることになる。
【００６４】
なお、図６および図７に示す培養装置は、以下の寸法となっているがこれに限定されるものではなく、培養する細胞や培養液の種類、必要とされる培養液の量などに応じて適宜変更することができる。
全長：２５ｍｍ
全幅：６ｍｍ
流路５０８の形状および寸法：幅０．０６ｍｍ×深さ０．１ｍｍの四角筒形状
副流路５０５の形状および寸法：幅０．４ｍｍ×深さ０．１ｍｍの四角筒形状
リザーバータンク５０２の形状および寸法：内径８ｍｍ×高さ３０ｍｍの円筒形状
弾性体膜５０６（壁面）の厚み：０．０１ｍｍ
弾性体膜５０６で形成される隘路５０７のすきま（培養液がない状態）：０．０２ｍｍ
【００６５】
次に、図６に示す培養装置５０１の流量調整能力について評価を行った。具体的には、以下の方法によって評価した。
１）まず、図６の培養装置のリザーバータンク５０２に水（培養液を想定）を充填した。
２）次に、水の上に流動パラフィンを注ぎ込むことによって、水面の上層に水の蒸発を防止するための流動パラフィン層を形成した。
３）最後に、廃液口５０４を開放し、水が輸送されるに従って低下していく水面の高さ（ｈ）をレーザ変位計（キーエンス社製：ＬＫ−Ｇ３０）にて測定することによって流量調整能力の評価を行った。結果を図８に示す。
【００６６】
図８から、時間の経過と水面の変位とが直線関係（比例関係）となっていることがわかる。
従って、本発明の培養装置は、リザーバータンク５０２内の水が少なくなることによって水頭圧が低下する場合でも、隘路５０７のすきまが適宜調整される流量調整機構を有していることから、常に所定流量の水（培養液）を細胞に供給することができるものであることがわかった。
【符号の説明】
【００６７】
４０１  液体供給装置
４０２  チップ
４０３  開口部
４０４  流路入口
４０５  流路
４０６  副流路
４０７  弾性体膜
４０８  隘路
４０９  流路出口
４１０  プレート
【図１】
2014089702.tif 000003
【図２】
2014089702.tif 000004
【図３】
2014089702.tif 000005
【図４】
2014089702.tif 000006
【図５】
2014089702.tif 000007
【図６】
2014089702.tif 000008
【図７】
2014089702.tif 000009
【図８】
2014089702.tif 000010
【図９】
2014089702.tif 000011
【図１０】
2014089702.tif 000012